(57)【要約】      （修正有）【課題】短い経路をトレースしてアンテナの伝送品質を向上させるアンテナアーキテクチャを提供する。【解決手段】回路基板１０と少なくとも一組の無線アンテナ組１１、１２とを含む短い経路をトレースするアンテナアーキテクチャであり、回路基板に低周波と高周波のアンテナモジュール１３、１４が設けられ、各無線アンテナ組は回路基板の同じ端縁部又は異なる端縁部に位置し、かつ各々ＰＩＦＡアンテナアーキテクチャの２本のアンテナと中性線とを含み、２本のアンテナが互いに間隔をあけ、また中性線の両端が各アンテナに各々電気的に接続し、各アンテナと交差する。同じ動作周波数帯域のアンテナは均しく回路基板の同じ端縁部に位置するため、トレース経路を効果的に短くすることができる。【選択図】図２
0003217955.tif 000002
【実用新案登録請求の範囲】
【請求項１】
多入力多出力システムを有する製品に応用され短い経路をトレースするアンテナアーキテクチャであって、
低周波モジュール及び高周波モジュールを設けられるための回路基板と、
前記回路基板に対向する一端縁部に位置し、かつ前記低周波モジュールと電気的に接続でき、ＰＩＦＡアンテナアーキテクチャの第１低周波アンテナと第２低周波アンテナと低周波中性線とからなり、前記第１低周波アンテナと前記第２低周波アンテナが互いに間隔をあけ、前記低周波中性線の両端が各々前記第１低周波アンテナ及び前記第２低周波アンテナに対応することで、交差態様を呈し、かつ各々前記第１低周波アンテナ及び前記第２低周波アンテナと電気的に接続する少なくとも一組の低周波数帯アンテナ組と、
前記回路基板に対向する他端縁部に位置し、かつ前記高周波モジュールと電気的に接続でき、前記ＰＩＦＡアンテナアーキテクチャの第１高周波アンテナと第２高周波アンテナと高周波中性線とからなり、前記第１高周波アンテナと前記第２高周波アンテナが互いに間隔をあけ、前記高周波中性線の両端が各々前記第１高周波アンテナ及び前記第２高周波アンテナに対応することで、交差態様を呈し、かつ各々前記第１高周波アンテナ及び前記第２高周波アンテナと電気的に接続する少なくとも一組の高周波数帯アンテナ組と、を含むことを特徴とする、アンテナアーキテクチャ。
【請求項２】
前記低周波数帯アンテナ組は、２ＧＨｚ〜２．５ＧＨｚの周波数帯域で動作することを特徴とする、請求項１に記載のアンテナアーキテクチャ。
【請求項３】
前記高周波数帯アンテナ組は、５ＧＨｚ〜５．８５ＧＨｚの周波数帯域で動作することを特徴とする、請求項２に記載のアンテナアーキテクチャ。
【請求項４】
前記低周波中性線は、穴あけ方式で各々前記第１低周波アンテナ及び前記第２低周波アンテナと電気的に接続されることを特徴とする、請求項１〜３のいずれか一項に記載のアンテナアーキテクチャ。
【請求項５】
前記高周波中性線は、穴あけ方式で各々前記第１高周波アンテナ及び前記第２高周波アンテナと電気的に接続されることを特徴とする、請求項４に記載のアンテナアーキテクチャ。
【請求項６】
前記第１低周波アンテナ及び前記第２低周波アンテナは、前記回路基板の異なる層にあることを特徴とする、請求項５に記載のアンテナアーキテクチャ。
【請求項７】
前記第１高周波アンテナ及び前記第２高周波アンテナは、前記回路基板の異なる層にあることを特徴とする、請求項６に記載のアンテナアーキテクチャ。
【請求項８】
前記低周波中性線又は前記高周波中性線の態様は、直行型、蛇行状或いは段付き型とすることができることを特徴とする、請求項７に記載のアンテナアーキテクチャ。
【請求項９】
多入力多出力システムを有する製品に応用され短い経路をトレースするアンテナアーキテクチャであって、
低周波モジュール及び高周波モジュールを設けられるための回路基板と、
前記回路基板に対向する一端縁部に位置し、かつ前記低周波モジュールと電気的に接続でき、ＰＩＦＡアンテナアーキテクチャの第１低周波アンテナと第２低周波アンテナと低周波中性線とからなり、前記第１低周波アンテナと前記第２低周波アンテナが互いに間隔をあけ、前記低周波中性線の両端が各々前記第１低周波アンテナ及び前記第２低周波アンテナに対応することで、交差態様を呈し、かつ各々前記第１低周波アンテナ及び前記第２低周波アンテナと電気的に接続する少なくとも一組の低周波数帯アンテナ組と、
前記低周波数帯アンテナ組と前記回路基板に対向する同じ端縁部に位置し、かつ前記高周波モジュールと電気的に接続でき、前記ＰＩＦＡアンテナアーキテクチャの第１高周波アンテナと第２高周波アンテナと高周波中性線とからなり、前記第１高周波アンテナと前記第２高周波アンテナが互いに間隔をあけ、前記高周波中性線の両端が各々前記第１高周波アンテナ及び前記第２高周波アンテナに対応することで、交差態様を呈し、かつ各々前記第１高周波アンテナ及び前記第２高周波アンテナと電気的に接続する少なくとも一組の高周波数帯アンテナ組と、を含むことを特徴とする、アンテナアーキテクチャ。
【請求項１０】
前記低周波数帯アンテナ組は、２ＧＨｚ〜２．５ＧＨｚの周波数帯域で動作することを特徴とする、請求項９に記載のアンテナアーキテクチャ。
【請求項１１】
前記高周波数帯アンテナ組は、５ＧＨｚ〜５．８５ＧＨｚの周波数帯域で動作することを特徴とする、請求項１０に記載のアンテナアーキテクチャ。
【請求項１２】
前記低周波中性線は、穴あけ方式で各々前記第１低周波アンテナ及び前記第２低周波アンテナと電気的に接続されることを特徴とする、請求項９〜１１のいずれか一項に記載のアンテナアーキテクチャ。
【請求項１３】
前記高周波中性線は、穴あけ方式で各々前記第１高周波アンテナ及び前記第２高周波アンテナと電気的に接続されることを特徴とする、請求項１２に記載のアンテナアーキテクチャ。
【請求項１４】
前記第１低周波アンテナ及び前記第２低周波アンテナは、前記回路基板の異なる層にあることを特徴とする、請求項１３に記載のアンテナアーキテクチャ。
【請求項１５】
前記第１高周波アンテナ及び前記第２高周波アンテナは、前記回路基板の異なる層にあることを特徴とする、請求項１４に記載のアンテナアーキテクチャ。
【請求項１６】
前記低周波中性線又は前記高周波中性線の態様は、直行型、蛇行状或いは段付き型とすることができることを特徴とする、請求項１５に記載のアンテナアーキテクチャ。
【請求項１７】
短い経路をトレースするアンテナアーキテクチャであって、
アンテナモジュールを設けられるための回路基板と、
前記回路基板に対向する一端縁部に位置し、かつ前記アンテナモジュールと電気的に接続でき、ＰＩＦＡアンテナアーキテクチャの第１アンテナと第２アンテナと中性線とからなり、前記第１アンテナと前記第２アンテナが互いに間隔をあけ、前記中性線の両端が各々前記第１アンテナ及び前記第２アンテナに対応することで、交差態様を呈し、かつ各々前記第１アンテナ及び前記第２アンテナと電気的に接続する少なくとも一組の無線アンテナ組と、を含むことを特徴とする、アンテナアーキテクチャ。
【請求項１８】
前記中性線は、穴あけ方式で各々前記第１アンテナ及び前記第２アンテナと電気的に接続されることを特徴とする、請求項１７に記載のアンテナアーキテクチャ。
【請求項１９】
前記第１アンテナ及び前記第２アンテナは、前記回路基板の異なる層にあることを特徴とする、請求項１８に記載のアンテナアーキテクチャ。
【請求項２０】
前記中性線の態様は、直行型、蛇行状或いは段付き型とすることができることを特徴とする、請求項１９に記載のアンテナアーキテクチャ。
【考案の詳細な説明】
【技術分野】
【０００１】
本考案は、アンテナアーキテクチャに関する。特に、多入力多出力システム（ＭＩＭＯ、またはマルチアンテナ送受信機）製品上に応用され、かつ同じ動作周波数帯域のアンテナが均しく回路基板の同じ端縁部に位置するアンテナアーキテクチャに関する。
【背景技術】
【０００２】
一般的には、早期ＩＥＥＥ８０２．１１ａ／ｂ／ｇ規格を用いる無線基地局は、均しく単入力単出力システム（Ｓｉｎｇｌｅ  Ｉｎｐｕｔ  Ｓｉｎｇｌｅ  Ｏｕｔｐｕｔ、「ＳＩＳＯ」、または単一アンテナ送受信機）のみをサポートしている。すなわち、無線伝送の両端が単一アンテナで送信及び受信を行うため、複数人が同時に無線基地局に接続した時、無線基地局の処理効率が低下することにより、ユーザーの接続速度が低下していた。
【０００３】
伝送効率を向上するため、ＩＥＥＥ８０２．１１ｎ規格下では、多入力多出力システム（Ｍｕｌｔｉ−ｉｎｐｕｔ  Ｍｕｌｔｉ−ｏｕｔｐｕｔ、「ＭＩＭＯ」）が追加される。多入力多出力システムは信号を特定の方向へ送受信することをサポートするスマートアンテナ設計が用いられ、かつアンテナの数量が増やされて出力及び入力の信号の数量が高められることで、マルチ入力及び出力の信号を通じて、大幅に無線信号の伝送効率が向上する。
また、ＭＩＭＯの送信側が多くの無線信号を送信でき、送信された無線信号が複雑な地形（例：壁、干渉源、床、地形など）の制限を突破し、かつＭＩＭＯの受信側も最適な信号源を自動選択すると共にソースデータとして構成できるため、ＭＩＭＯの伝送効果もＳＩＳＯの伝送効果より優れており、ユーザーに気に入られる。
【０００４】
業界では無線通信製品を設計する時、普遍的に「軽薄短小」設計の方向性及び理念が志向され、また製品の美観を保持するため、プリントアンテナの態様を用い、製品の回路基板上に平面アンテナを設ける業者も多い。
しかし、回路基板が製品の体積に対応して面積が縮小するにつれ、ＭＩＭＯのアンテナレイアウトの難易度がアップし、特に、アンテナ配置面積が制限された状況においては高周波信号の損失・歪みを避ける必要があるため、各アンテナ間のアイソレーション及びＲＦ信号トレース方向はいずれも設計上の重要な考慮事項となる。
例を挙げると、アンテナ間のアイソレーションを増やすため、現在のプリントアンテナの多くにはデカップリング構造が追加されている。
図１を参照すると、回路基板Ｍ１には２本の２ＧＨｚ周波数帯域のアンテナＭ１１及び２本の５ＧＨｚ周波数帯域のアンテナＭ１１、Ｍ１２が設置でき、それらアンテナＭ１１、Ｍ１２が各々フィーダー側Ｍ１１１、Ｍ１２１を有する。また、周波数帯域の異なるアンテナＭ１１、Ｍ１２の配置は、そのアンテナ放射パターン及び同じ周波数帯域間のアイソレーション問題を考慮しなければならないため、図１のような２個のデカップリングアーキテクチャＴ１、Ｔ２を形成している。
【０００５】
しかしながら、出願人は、前記アンテナ構造の全体的な態様が、実際の使用上においては依然として一部に欠陥があることを発見した。
まず、デカップリング構造Ｔ１、Ｔ２がアンテナ構造全体の配置面積を増大させ、次に周波数帯域（例えば２ＧＨｚ、５ＧＨｚ）の異なるアンテナＭ１１、Ｍ１２におけるアイソレーションを増加させるため、周波数帯域の異なる各アンテナＭ１１、Ｍ１２及びデカップリング構造Ｔ１、Ｔ２も交互に配置（図１）されなければならない。
このような配置は、２ＧＨｚのアンテナチップＭ２１及５ＧＨｚのアンテナチップＭ２２を対応のアンテナＭ１１、Ｍ１２に接続するＲＦ信号トレースが比較的長くなり、更に渡り線（交差）状況が発生するため、ＲＦ信号のトレースルート延長及び渡り線量のアップは均しく減衰の増加及び異なる周波数帯域のＲＦ損失の増加を生じ、その結果、アンテナの伝送品質が不良となる。
【０００６】
よって、如何にしてアンテナのトレース経路を効果的に短くし、渡り線量の状況を減らすことができる新規アンテナ構造を設計するかが、現在、関連業者が解決しようとする重要課題の一つとなっている。
【考案の概要】
【考案が解決しようとする課題】
【０００７】
従来ＭＩＭＯのアンテナアーキテクチャが依然として完璧ではないことに鑑み、本願の考案者は、長年に渡り鋭意研究を重ねていたところ、本考案の、短い経路をトレースするアンテナアーキテクチャを開発及び設計するに至った。本考案の公開を通じて効果的に前記問題が解決されることが期待される。
【課題を解決するための手段】
【０００８】
本考案の目的は、ＭＩＭＯを有する製品に応用でき、回路基板と少なくとも一組の低周波数帯アンテナ組と少なくとも一組の高周波数帯アンテナ組とを含む短い経路をトレースするアンテナアーキテクチャを提供することである。
該回路基板が低周波モジュール及び高周波モジュールを設けるために用いられ、該低周波数帯アンテナ組は該回路基板に対向する一端縁部に位置し、かつ該低周波モジュールと電気的に接続できる。
該組低周波数帯アンテナ組が、第１低周波アンテナと第２低周波アンテナと低周波中性線とからなり、該第１低周波アンテナと該第２低周波アンテナが互いに間隔をあけ、かつ該回路基板の一側面にレイアウトされる。
該低周波中性線は該回路基板の他側面に配線され、その両端が各々該第１低周波アンテナ及び該第２低周波アンテナと電気的に接続する。
該高周波数帯アンテナ組は対応の該回路基板の同じ端縁部又は他端縁部に位置し、該高周波モジュールと電気的に接続される。
該組高周波数帯アンテナ組が、第１高周波アンテナと第２高周波アンテナと高周波中性線とからなり、該第１高周波アンテナと該第２高周波アンテナが互いに間隔をあけ、かつ該回路基板の該一側面にレイアウトされる。
該高周波中性線は該回路基板の該他側面に配線され、その両端が各々該第１高周波アンテナ及び該第２高周波アンテナと電気的に接続する。
よって、同じ動作周波数帯域の両アンテナの相互間の距離が比較的近いため、そのトレース経路を短くすることができる。
【０００９】
本考案の別の目的は、回路基板と少なくとも一組の無線アンテナ組とを含む短い経路をトレースするアンテナアーキテクチャを提供することである。
該回路基板が、アンテナモジュールを設けるために用いられる。該無線アンテナ組は該回路基板に対向する一端縁部に位置し、該アンテナモジュールと電気的に接続できる。
該組無線アンテナ組がＰＩＦＡ（Ｐｌａｎａｒ  Ｉｎｖｅｒｔｅｄ−Ｆ  Ａｎｔｅｎｎａ）アンテナアーキテクチャの第１アンテナと第２アンテナと中性線とからなる。
該第１アンテナと該第２アンテナが互いに間隔をあけ、該中性線の両端が各々該第１アンテナ及び該第２アンテナに対応することで、交差態様を呈し、かつ各々該第１アンテナ及び該第２アンテナと電気的に接続する。
【００１０】
以下、本考案の目的、構造及びその効果を、実施例を添付図面に基づいて詳細に説明する。
【図面の簡単な説明】
【００１１】
【図１】従来のデカップリングアーキテクチャを有するアンテナ構造を示す模式図である。
【図２】本考案のアンテナアーキテクチャを示す模式図である。
【図３】本考案の低周波数帯アンテナ組を示す模式図である。
【図４】本考案の低周波数帯アンテナ組の周波数特性図である。
【図５Ａ】本考案の低周波数帯アンテナ組のＺ−Ｙ面方向の放射パターン図である。
【図５Ｂ】本考案の低周波数帯アンテナ組のＸ−Ｚ面方向の放射パターン図である。
【図５Ｃ】本考案の低周波数帯アンテナ組のＸ−Ｙ面方向の放射パターン図である。
【図６Ａ】本考案の蛇行状を呈する低周波数帯アンテナ組を示す模式図である。
【図６Ｂ】本考案の湾曲状を呈する低周波数帯アンテナ組を示す模式図である。
【図６Ｃ】本考案の蛇行と矩形を組み合わせる形状を呈する低周波数帯アンテナ組を示す模式図である。
【図７】本考案の高周波数帯アンテナ組を示す模式図である。
【図８】本考案の高周波数帯アンテナ組の周波数特性図である。
【図９Ａ】本考案の高周波数帯アンテナ組のＺ−Ｙ面方向の放射パターン図である。
【図９Ｂ】本考案の高周波数帯アンテナ組のＸ−Ｚ面方向の放射パターン図である。
【図９Ｃ】本考案の高周波数帯アンテナ組的Ｘ−Ｙ面方向的放射パターン図である。
【図１０Ａ】本考案の直行型を呈する高周波中性線を示す模式図である。
【図１０Ｂ】本考案の蛇行状を呈する高周波中性線を示す模式図である。
【図１０Ｃ】本考案の段付き型を呈する高周波中性線を示す模式図である。
【図１１】本考案の低周波数帯アンテナ組の幅変化による周波数特性の変化を示す周波数特性図である。
【図１２】本考案の低周波数帯アンテナ組の接地距離変化による周波数特性の変化を示す周波数特性図である。
【図１３】本考案の低周波数帯アンテナ組と高周波数帯アンテナ組が回路基板の同じ端縁部にある場合の模式図である。
【図１４】本考案の別の実施例に係る低周波数帯アンテナ組を示す模式図である。
【考案を実施するための形態】
【００１２】
本考案は、短い経路をトレースするアンテナアーキテクチャであり、多入力多出力システム（ＭＩＭＯ）を有する製品に応用される。
一実施例において、２×２のＭＩＭＯアンテナアーキテクチャを例とし、図２〜図３を参照する。
該アンテナアーキテクチャは、回路基板１０と、少なくとも一組の低周波数帯アンテナ組１１と、少なくとも一組の高周波数帯アンテナ組１２とを含む。
該回路基板１０が低周波モジュール１３（例：２ＧＨｚ〜２．５ＧＨｚのアンテナチップ）と高周波モジュール１４（例：５ＧＨｚ〜５．８５ＧＨｚのアンテナチップ）を設けるために用いられる。
該低周波数帯アンテナ組１１は該回路基板１０に対向する一端縁部に位置し、かつ該低周波モジュール１３と電気的に接続することで、２ＧＨｚ〜２．５ＧＨｚの周波数帯域に動作できる。
該高周波数帯アンテナ組１２が該回路基板１０に対向する他端縁部に位置し、かつ該高周波モジュール１４と電気的に接続することで、該アンテナアーキテクチャは５ＧＨｚ〜５．８５ＧＨｚの周波数帯域において動作できる。
【００１３】
再度図２及図３を参照する。該低周波数帯アンテナ組１１は、第１低周波アンテナ１１１と第２低周波アンテナ１１２と低周波中性線（Ｎｅｕｔｒａｌｉｚａｔｉｏｎ  Ｌｉｎｅ）１１３とからなる。
該第１低周波アンテナ１１１と該第２低周波アンテナ１１２が互いに間隔をあけ、かつ該回路基板１０の一側面にレイアウトされる。
該実施例において、それら低周波アンテナ１１１、１１２は、ＰＩＦＡ（Ｐｌａｎａｒ  Ｉｎｖｅｒｔｅｄ−Ｆ  Ａｎｔｅｎｎａ）アンテナアーキテクチャである。その接地側が回路基板１０の接地面と接続でき、そのフィードポイント１１１１、１１２１が各々該低周波モジュール１３に電気的に接続できる。
また、該低周波中性線１１３は、該回路基板１０の他側面にレイアウトされ、該低周波中性線１１３の両端が各々該第１低周波アンテナ１１１及び該第２低周波アンテナ１１２に対応することで、交差態様（図３）を呈し、かつ各々該第１低周波アンテナ１１１及び該第２低周波アンテナ１１２と電気的に接続し、例えば穴あけ方式で互いに接触することで、該第１低周波アンテナ１１１（第２低周波アンテナ１１２）の接地面に結合する電流を誘導する。これにより、該第２低周波アンテナ１１２（第１低周波アンテナ１１１）への影響が軽減される。
該低周波中性線１１３は、各々それら低周波アンテナ１１１、１１２の間を接続することで、アイソレーション特性を形成し、同時に該低周波中性線１１３は第１低周波アンテナ１１１、第２低周波アンテナ１１２と交差する。このため、実際の設計上、それら低周波アンテナ１１１、１１２の間隔が従来のデカップリングアーキテクチャを有するアンテナ構造に比べ、比較的接近でき、かつ回路基板１０のスペースをあまり取らないため、低周波中性線１１３もそれら低周波アンテナ１１１、１１２の対応範囲内に位置する。
ここで、次の点に言及しておく。
まず、それら低周波アンテナ１１１、１１２及び低周波中性線１１３が同一表面上にないため、図２内には低周波中性線１１３を示していない。また、該回路基板１０が単層板構造の場合、それら低周波アンテナ１１１、１１２及び低周波中性線１１３は、各々回路基板１０の頂面及び底面に位置する。
また、該回路基板１０が多層板構造の場合、それら低周波アンテナ１１１、１１２及び低周波中性線１１３は各々回路基板１０の異なる表面に位置する。すなわち、「それら低周波アンテナ１１１、１１２」及び「低周波中性線１１３」両者が完全に同一層の表面に位置しない場合は、本考案に記載の低周波数帯アンテナ組１１となる。
【００１４】
出願人が図２〜図３の低周波数帯アンテナ組１１について周波数特性の測定を行った結果を、図４の周波数特性図に示す。
図からはっきり分かるように、該低周波数帯アンテナ組１１は、２．４６ＧＨｚの周波数帯域にある時、それら低周波アンテナ１１１、１１２のアイソレーションが−３３ｄＢに達することができ、また、２．４ＧＨｚ（２．４１５ＧＨｚ−２．４８５ＧＨｚ）の周波数帯域にある時、それら低周波アンテナ１１１、１１２のアイソレーションも−１４ｄＢに達することができる。
また、放射パターン（Ｒａｄｉａｔｉｏｎ  Ｐａｔｔｅｒｎ）面において、図５Ａ〜図５Ｃを参照すると、それら低周波数帯アンテナ組１１のＺ−Ｙ面方向の平面パターンは全方向性の放射（図５Ａ）を有し、それら低周波数帯アンテナ組１１のＸ−Ｚ面方向（図５Ｂ）及びＸ−Ｙ面方向（図５Ｃ）における平面パターンが相互補完性を有する。
例えばＸ−Ｚ面方向の平面パターンにおいて、第１低周波アンテナ１１１のパターン凹み点は、第２低周波アンテナ１１２でカバーされて、その欠陥が補強される。
また、本考案の他の実施例において、図６Ａ〜図６Ｃに示すように、当業者は製品のニーズに応じて、第１低周波アンテナ及び第２低周波アンテナの態様を調整できる。
低周波数帯アンテナ組１１Ａ〜１１Ｃにおいて、各第１低周波アンテナ１１１Ａ〜１１１Ｃ及び第２低周波アンテナ１１２Ａ〜１１２Ｃの構造形は、各々「蛇行状（すなわち複数の湾曲部）」、「湾曲状（単一の湾曲部）」又は「蛇行と矩形の組み合わせ形状」を呈することができる。
【００１５】
また、図２及び図７を参照する。該高周波数帯アンテナ組１２は、第１高周波アンテナ１２１と第２高周波アンテナ１２２と高周波中性線１２３とからなり、該第１高周波アンテナ１２１と該第２高周波アンテナ１２２が互いに間隔をあけ、かつ該回路基板１０の該一側面（すなわち、それら低周波アンテナ１１１、１１２の一側面と同じ）にレイアウトされる。
該実施例において、それら高周波アンテナ１２１、１２２はＰＩＦＡアンテナアーキテクチャである。その接地側が回路基板１０の接地面と接続でき、フィードポイント１１１１、１１２１が各々該高周波モジュール１４に電気的に接続することができる。
また、該高周波中性線１２３は、該回路基板１０の該他側面（すなわち、該低周波中性線１１３の他側面と同じ）にレイアウトされる。該高周波中性線１２３の両端が各々該第１高周波アンテナ１２１及び該第２高周波アンテナ１２２に対応することで、交差態様（図７）を呈し、かつ各々該第１高周波アンテナ１２１及び該第２高周波アンテナ１２２と電気的に接続し（例えば穴あけ方式）、また該第１高周波アンテナ１２１及び該第２高周波アンテナ１２２のフィードポイント１２１１、１２２１にも近い。
こうすることにより、前記設計において、該高周波中性線１２３もそれら高周波アンテナ１２１、１２２の間にアイソレーション特性を形成できる。同時に、該高周波中性線１２３が第１高周波アンテナ１２１、第２高周波アンテナ１２２と交差することで、それら高周波アンテナ１２１、１２２が従来のデカップリングアーキテクチャを有するアンテナ構造に比べて互いにより接近する。また、回路基板１０のスペースをあまり取らないようにするため、高周波中性線１２３もそれら高周波アンテナ１２１、１２２の対応範囲内に位置する。
【００１６】
出願人が特別に図２及び図７の高周波数帯アンテナ組１２について周波数特性の測定を行った結果を、図８の周波数特性図に示す。
図からはっきり分かるように、該高周波数帯アンテナ組１２は、５．３３ＧＨｚの周波数帯域にある時、それら高周波アンテナ１２１、１２２のアイソレーションが−３１ｄＢに達することができ、また、５ＧＨｚ（５．１５ＧＨｚ−５．８５ＧＨｚ）の周波数帯域にある時、それら高周波アンテナ１２１、１２２のアイソレーションも−１５ｄＢに達することができる。
また、放射パターン（Ｒａｄｉａｔｉｏｎ  Ｐａｔｔｅｒｎ）面において、図９Ａ〜図９Ｃを参照すると、それら高周波数帯アンテナ組１２のＺ−Ｙ面方向の平面パターンは全方向性の放射（図９Ａ）を有し、それら高周波数帯アンテナ組１２のＸ−Ｚ面方向（図９Ｂ）及びＸ−Ｙ面方向（図９Ｃ）における平面パターンが相互補完性を有する。
例えば、Ｘ−Ｚ面方向の平面パターンにおいて、第１高周波アンテナ１２１のパターン凹み点は第２高周波アンテナ１２２でカバーされてその欠陥が補強される。
また、本考案の他の実施例において、図１０Ａ〜図１０Ｃに示すように、当業者は製品のニーズに応じて、第１高周波アンテナ及び第２高周波アンテナの態様或いは高周波中性線１２３の態様を調整できる。高周波数帯アンテナ組１２Ａ〜１２Ｃにおいて、該高周波中性線１２３Ａ〜１２３Ｃは各々「直行型（複数の構成要素に穴をあけて互いにつながってなる）」、「蛇行状（すなわち、複数の湾曲部）」又は「段付き型」を呈することができる。
また、前記「直行型（複数の構成要素に穴をあけて互いにつながってなる）」は、多層板の回路基板において各構成要素が各々異なる層に位置し、互いに電気的に接続できるだけでよい。前記「段付き型」は、該高周波中性線１２３Ｃに異なる幅を持たせることで、異なる位相を形成する。
【００１７】
上記を取りまとめると分かるように、再度図２を参照すると、該低周波数帯アンテナ組１１内の２本のアンテナ（すなわち、第１低周波アンテナ１１１、第２低周波アンテナ１１２）は、均しく回路基板１０の同じ端縁部に位置し、該高周波数帯アンテナ組１２内の２本のアンテナ（すなわち、第１高周波アンテナ１２１、第２高周波アンテナ１２２）も回路基板１０の同じ他端縁部に位置するため、対応する低周波モジュール１３、高周波モジュール１４の間に接続するＲＦ信号トレースルートを効果的に短縮でき、かつ渡り線（交差）状況の発生を低減できる。
例えば４×４のＭＩＭＯアンテナアーキテクチャにおいて、同じ端縁部に一組の低周波数帯アンテナ組及び一組の高周波数帯アンテナ組が設置されるが、生じる渡り線量はやはり従来のデカップリングアーキテクチャを有するアンテナ構造より少ないため、減衰の増加又はＲＦ損失の増加等に至る問題を防止でき、アンテナの伝送品質を効果的に保持できる。また、該低周波中性線１１３及び高周波中性線１２３の設計を介して該低周波数帯アンテナ組１１及び高周波数帯アンテナ組１２内のアンテナパターンに相互補完性を持たせることで、放射効率が保持され得る。
ここで、前記実施例において、低周波アンテナの変化態様が高周波アンテナ上に適用でき、高周波中性線の変化態様も低周波中性線上に適用できることにつき、予め説明しておく。
【００１８】
次に、当業者はなお製品のニーズに応じて該低周波中性線１１３の態様を調整することで、所要の動作周波数帯域上に所要のアイソレーション深点をつくることができる。
再度図３を参照すると、該低周波中性線１１３自体は幅Ｗ１を有し、接地面との間に接地距離Ｇ１が形成され、該低周波中性線１１３の幅Ｗ１が減少し、かつ接地距離Ｇ１が不変の時、例えば図１１の低周波数帯アンテナ組１１の周波数特性図から低周波中性線１１３の幅Ｗ１は順序通り４．７ｍｍ、４．２ｍｍ、３．７ｍｍ、３．２ｍｍの場合、そのアイソレーション深点もこれに伴って変化し（順序通り−２７ｄＢ、−３１ｄＢ、−３８ｄＢ、−４３ｄＢ）、かつアンテナ特性が容量性リアクタンス（Ｃａｐａｃｉｔｏｒ）に傾けることが分かる。
該低周波中性線１１３の幅Ｗ１が不変で、かつ接地距離Ｇ１が増加した時、例えば図１２の低周波数帯アンテナ組１１の周波数特性図からも低周波中性線１１３の接地距離Ｇ１は順序通り０．２ｍｍ、０．５ｍｍ、０．８ｍｍ、１．１ｍｍの場合、そのアイソレーション深点が同様にこれに伴って変化し（順序通り−１５ｄＢ、−１８ｄＢ、−２４ｄＢ、−３８ｄＢ）、かつアンテナ特性が誘導性リアクタンス（Ｉｎｄｕｃｔｏｒ）に傾けることが分かる。
同じ道理で、高周波数帯アンテナ組１２も前記と同じ特性を有する。
【００１９】
前記の実施態様以外にも、当業者は図１３に示すように、低周波数帯アンテナ組１１及び高周波数帯アンテナ組１２を回路基板１０の同じ端縁部に設けることができる。中性線が異なる層に位置するため、図１３には示していない。
また、図１４に示すように、別の実施例において、低周波数帯アンテナ組１１Ｄは、第１低周波アンテナ１１１Ｄと第２低周波アンテナ１１２Ｄと第１中性線１１３１Ｄと第２中性線１１３２Ｄとを含むことができる。該第１低周波アンテナ１１１Ｄ及び第１中性線１１３１Ｄは各々回路基板１０の異なる層の表面（例：頂面又は底面）に位置し、かつ該第１中性線１１３１Ｄの一端が穴あけ方式で該第１低周波アンテナ１１１Ｄに電気的に接続できる。また、該第１中性線１１３１Ｄ及び第２中性線１１３２Ｄも各々回路基板１０の異なる層の表面に位置し、該第１中性線１１３１Ｄの他端が穴あけ方式で第２中性線１１３２Ｄの一端に電気的に接続できる。
これにより、低周波中性線１１３Ｄ（すなわち、「直行型」の中性線態様）を形成し、次に、該第２中性線１１３２Ｄの他端は穴あけ方式で第２低周波アンテナ１１２Ｄに電気的に接続できる。
同じ道理で、高周波数帯アンテナ組も、前記構造を用いることができる。
【００２０】
ここで、次の点に言及しておく。
まず、前記実施例において、二組の無線アンテナ組（すなわち、低周波数帯アンテナ組１１、高周波数帯アンテナ組１２）を例にしたが、このとき、当業者は回路基板１０にアンテナモジュール（低周波モジュール１３又は高周波モジュール１４に相当）を設け、かつ回路基板の一端縁部に少なくとも一組の無線アンテナ組（低周波数帯アンテナ組１１又は高周波数帯アンテナ組１２に相当）を設けることができる。
また、該無線アンテナ組は、ＰＩＦＡアンテナアーキテクチャの第１アンテナと第２アンテナと中性線とからなり、かつ前記実施例の構造特徴を持つ。すなわち、該第１アンテナと第２アンテナが互いに間隔をあけ、該中性線の両端が各々該第１アンテナ及び該第２アンテナに対応することで、交差態様を呈し、また、各々該第１アンテナ及び該第２アンテナと電気的に接続することで、短い経路をトレースすると共に回路基板１０のスペースをあまり取らない状態を実現できる場合は、本考案のアンテナアーキテクチャである。
【００２１】
以上に述べたものは、本考案の好ましい実施例であって、本考案が主張する権利範囲がこのような実施例のみに限定されるべきことを示すものではない。当業者が本考案に開示している技術内容に基づいて、容易に想到できる種々の均等範囲内での修正は、均しく本考案の保護範囲に含まれる。
【符号の説明】
【００２２】
１０                                            回路基板
１１、１１Ａ、１１Ｂ、１１Ｃ、１１Ｄ            低周波数帯アンテナ組
１１１、１１１Ａ、１１１Ｂ、１１１Ｃ、１１１Ｄ  第１低周波アンテナ
１１１１、１１２１、１２１１、１２２１          フィードポイント
１１２、１１２Ａ、１１２Ｂ、１１２Ｃ、１１２Ｄ  第２低周波アンテナ
１１３、１１３Ｄ                                低周波中性線
１１３１Ｄ                                      第１中性線
１１３２Ｄ                                      第２中性線
１２、１２Ａ、１２Ｂ、１２Ｃ                    高周波数帯アンテナ組
１２１                                          第１高周波アンテナ
１２２                                          第２高周波アンテナ
１２３、１２３Ａ、１２３Ｂ、１２３Ｃ            高周波中性線
１３                                            低周波モジュール
１４                                            高周波モジュール
Ｇ１                                            接地距離
Ｍ１                                            回路基板
Ｍ１１、Ｍ１２                                  アンテナ
Ｍ１１１、Ｍ１２１                              フィーダー側
Ｍ２１、Ｍ２２                                  アンテナチップ
Ｔ１、Ｔ２                                      デカップリングアーキテクチャ
Ｗ１                                            幅
【図１】
0003217955.tif 000003
【図２】
0003217955.tif 000004
【図３】
0003217955.tif 000005
【図４】
0003217955.tif 000006
【図５Ａ】
0003217955.tif 000007
【図５Ｂ】
0003217955.tif 000008
【図５Ｃ】
0003217955.tif 000009
【図６Ａ】
0003217955.tif 000010
【図６Ｂ】
0003217955.tif 000011
【図６Ｃ】
0003217955.tif 000012
【図７】
0003217955.tif 000013
【図８】
0003217955.tif 000014
【図９Ａ】
0003217955.tif 000015
【図９Ｂ】
0003217955.tif 000016
【図９Ｃ】
0003217955.tif 000017
【図１０Ａ】
0003217955.tif 000018
【図１０Ｂ】
0003217955.tif 000019
【図１０Ｃ】
0003217955.tif 000020
【図１１】
0003217955.tif 000021
【図１２】
0003217955.tif 000022
【図１３】
0003217955.tif 000023
【図１４】
0003217955.tif 000024